(57)【要約】      （修正有）【課題】マルチフィラメントを構成する各フィラメントの形状及び物性などにおいて、品質差が生じない紡糸口金パックを提供することにあり、特に低ｄｔｅｘのマルチフィラメントを円筒状の冷却風送風装置により外周から中心側に整流された冷却風を吹き付ける方法により紡糸するのに好適な溶融紡糸口金パックを提供する。【解決手段】紡糸口金パック１内に供給された熱可塑性の溶融ポリマーを拡流Ｆ２し、拡流した状態で該ポリマーを濾過してポリマー中の異物を濾過し、濾過したポリマーをパック中心部に形成した合流部Ｆ３において縮流させながら一箇所に合流させ、該合流部から出たポリマーの出口を頂点として下流方向に末広がりとなるよう円管状ポリマー流路Ｆ４を等間隔で設置し、等配されたポリマー流路が形成する円環中心線上に等配された吐出孔群Ｈへ分配し、該吐出孔群からマルチフィラメントを紡出することを特徴とする溶融紡糸口金パック。【選択図】図１
2010111977.tif 000002
【特許請求の範囲】
【請求項１】
熱可塑性ポリマーを紡糸口金に穿設された吐出孔群から紡出してマルチフィラメント糸を紡出するための紡糸口金パックであって、前記紡糸口金パック内に供給された前記ポリマー中の異物を濾過するための濾材に拡流されたポリマー流を供給する拡流流路と、前記濾材を通過したポリマーを紡糸口金パックの中心部で縮流させながら一箇所に合流させる合流流路と、前記合流部の終端の出口部から下流方向に末広がりに等間隔で円周配列された複数の円管状流路と、円周上に等配に穿設された吐出孔群のポリマーが流入する始端開口部と前記円管状流路の終端開口部とを円環状に連結するために形成された環状流路とを少なくとも備えたことを特徴とする溶融紡糸口金パック。
【請求項２】
前記円管状流路の流路直径が２．０ｍｍ以上５．０ｍｍ以下であり、且つその本数が同一円周上に穿設された吐出孔数の４分の１以上であることを特徴とする、請求項１に記載の溶融紡糸口金パック。
【請求項３】
前記円管状流路群と吐出孔群を連結する環状状流路の内外径部と吐出孔群導入孔の最内外周部との間の距離が０．５ｍｍ以下であることを特徴とする、請求項１又は２に記載の溶融紡糸口金パック。
【発明の詳細な説明】
【技術分野】
【０００１】
本発明は、ポリエステル、ポリアミドなどの熱可塑性ポリマーからなる合成繊維を溶融紡糸するための溶融紡糸口金パックに関するものである。
【背景技術】
【０００２】
近年、一つの紡糸口金（以下、単に「口金」という）から単糸繊度が小さいフィラメント群を紡出するようになってきている。例えば、単糸繊度が０．６デシテックス以下、特に０．３デシテックス以下の極細マルチフィラメント糸の生産が行われるようになってきている。
【０００３】
このような極細マルチフィラメント糸に対して繊度斑を抑制する冷却方式として、円筒状整流体を有する冷却装置を用いて、前記円筒状整流体から小さな風速を有する冷却風を紡出糸により近接した位置からその外周部を取囲むようにして放射状に吹き付ける方式が提案されている（特許文献１）。
【０００４】
前記冷却方式を用いて極細マルチフィラメント糸を溶融紡糸することにより、従来の横吹冷却方式と比較して繊度斑が大きく改善できることが分かっている。しかしながら、極細繊度の糸を安定して紡糸するためには、前述の冷却方式のみならず、溶融紡糸口金パック（以下、単にパックとも称する）を改良することによってパック内でのポリマーの滞留時間の低減、デッドスペースの最小化が必要とされる。
【０００５】
一般に、ポリエステル、ポリアミドなどの熱可塑性ポリマーからなる合成繊維の溶融紡糸では、パック内に濾過部材を組み込んでポリマー中の異物を除去することによって紡糸口金からポリマーを良好に紡出することが行なわれている。このようなパックは、図４に例示したような状態に組み立てられた後、熱媒加熱装置などの加熱手段とギアポンプなどの定量供給装置が付設された溶融紡糸装置のパックドームに取り付けられて、溶融紡糸に供される。
【０００６】
ここで、図４において、連続的に定量されて紡糸口金パックに供給された溶融ポリマーは、紡糸口金パックの上部に穿設された導入流路Ｆ１’から口金パック内へと供給される。そして、メタルサンドやガラスビーズなどで構成される濾砂５’を通過して、金網や多孔質焼結体などで構成される平板状濾材６’でポリマー中に含まれる微小な異物が除去される。なお、ポリマーが濾砂５’や濾材６’を通過する際に発生する濾過圧力を低減すると共に、濾材６’が異物を捕捉して急激に濾過圧力が上昇することに対処するために、濾材６’の濾過面積は図示したようにできるだけ広く取られている。
【０００７】
このようにして、濾材６’のほぼ全面を通過したポリマーは、濾材６’を支持するブリッジプレート７’を通過し、口金パックの中央部に穿設されたポリマーを一箇所に合流させる合流流路Ｆ３’へと導かれる。この合流流路Ｆ３’の果たす役割は、口金パック内部の外周部と中央部とで、加熱温度が異なったり、滞留時間が異なったりして、異なった物性を有するようになったポリマーを一つの合流流路Ｆ３’に合流させることによって、異なる物性を有するようになったポリマーをこの合流流路Ｆ３’で均一化することにある。
【０００８】
以上に述べたようにして、合流流路Ｆ３’で互いに合流したポリマーは、今度は口金１’に穿設された吐出孔群Ｈ’へ分配するために、下流方向へ末広がりに円錐状に形成された円錐状流路Ｆ４’を流れ、次いで、各吐出孔Ｈ’へ分配される。
【０００９】
このとき、円錐状流路Ｆ４’を流れるポリマーの経路は、円錐状流路Ｆ４’の外周部に沿って流れるものと、円錐状流路Ｆ４’の中央部を流れて、口金１’の反吐出面に到達した後、この反吐出面に沿ってその中央部から外周部へと流れるものとが生じる。このため、合流流路Ｆ３’でせっかく均一化したポリマーが、円錐状流路Ｆ４’から吐出孔群Ｈ’へと分配される過程において、再びポリマーに物性差が生じる結果を招いている。
【００１０】
図５に示したポリマー分配部材は、このような問題を解決するために提案されたものであって、前述の図４に例示した従来の口金パックにおいて、円錐状流路Ｆ４’部の口金１’と対向する側の面に対して、ポリマー流路孔出口側に向かって環状且つ凸状の流路形状を形成したものである（特許文献２）。
【００１１】
しかしながら、このような流路形状を採用しても、ポリマーが流れる経路は本質的に図４で示した口金パックと変わりはない。したがって、このような環状且つ凸状の流路形状であっても、マルチフィラメントを構成する各フィラメントの均斉性を上げるためのポリマーの分配流路として不十分である。
【００１２】
【特許文献１】特開２００７−６３６８９号公報
【特許文献２】特開２００１−２５４２１９号公報
【発明の開示】
【発明が解決しようとする課題】
【００１３】
本発明は、前述の従来技術が有する諸問題を解決することを目的としてなされたものである。すなわち、その目的とするところは、マルチフィラメント糸を構成する各フィラメントの形状及び物性などにおいて、品質差が生じない紡糸口金パックを提供することにあり、特に細繊度のマルチフィラメントを品質斑なく良好に紡糸できる溶融紡糸口金パックを提供することにある。
【課題を解決するための手段】
【００１４】
前記課題を達成するために、本発明者が鋭意検討した結果、以下の溶融紡糸口金パックによって解決できることを見出した。
ここに、前記課題を解決するための請求項１に係る本発明として、「熱可塑性ポリマーを紡糸口金に穿設された吐出孔群から紡出してマルチフィラメント糸を紡出するための紡糸口金パックであって、前記紡糸口金パック内に供給された前記ポリマー中の異物を濾過するための濾材に拡流されたポリマー流を供給する拡流流路と、前記濾材を通過したポリマーを紡糸口金パックの中心部で縮流させながら一箇所に合流させる合流流路と、前記合流部の終端の出口部から下流方向に末広がりに等間隔で円周配列された複数の円管状流路と、円周上に等配に穿設された吐出孔群のポリマーが流入する始端開口部と前記円管状流路の終端開口部とを円環状に連結するために形成された環状流路とを少なくとも備えたことを特徴とする溶融紡糸口金パック」が提供される。
【００１５】
このとき、請求項２に係る本発明のように、「前記円管状流路の流路直径が２．０ｍｍ以上５．０ｍｍ以下であり、且つその本数が同一円周上に穿設された吐出孔数の４分の１以上であることを特徴とする、請求項１に記載の溶融紡糸口金パック」とすることが好ましい。
【００１６】
更に、請求項３記載の発明のように、「前記円管状流路群と吐出孔群を連結する環状状流路の内外径部と吐出孔群導入孔の最内外周部との間の距離が０．５ｍｍ以下であることを特徴とする、請求項１又は２に記載の溶融紡糸口金パック」とすることが好ましい。
【発明の効果】
【００１７】
以上に述べたように、本発明に係る溶融紡糸口金パックを用いることにより、マルチフィラメント糸を構成する各フィラメントの繊度及び物性などにおいて品質差が生じないマルチフィラメント糸を溶融紡糸できる。何故ならば、本発明に係る紡糸口金パックでは、紡糸口金パック内では、後述するように、円管状流路に分割してポリマーを流すために、円管状流路の流路直径差分だけしかポリマーの滞留時間差と加熱温度差が生じないので、紡糸口金パック内でポリマーの熱劣化や加熱斑によるポリマーの粘度差などが生じ難くなって、品質に優れたマルチフィラメント糸を安定に溶融紡糸できるという顕著な効果を奏するからである。
【発明を実施するための最良の形態】
【００１８】
以下、本発明の実施の態様について、図面を参照しながら詳細に説明する。
図１は、本発明の溶融紡糸口金パックを説明するために例示した模式説明図であって、概略正断面図を示す。この図１において、紡糸口金パックを構成する各部材を参照符号別に説明すると、１：紡糸口金パック、２：口金、３：パック本体、４：濾砂収容部材、５：濾砂、６：ブリッジプレート、７ａと７ｂ：平板状濾材、８：パックの締結部材（具体的には、“ボルト”である）、９ａと９ｂ：シール材、Ｈ：口金２に穿設されたポリマーの吐出孔群、そして、Ｃ：吐出孔群Ｈがその上に穿設される同心円を、それぞれ表す。
【００１９】
このとき、このような各部材から構成される紡糸口金パック１は、該紡糸口金パック１を所定の溶融紡糸を実施するための温度にまで加熱すると共に、該紡糸口金パック１に対して、連続的に定量的に計量して供給するギアポンプなどの連続計量手段を備えたスピンブロック（図示せず）のパックドームに装着される。
【００２０】
次に、この紡糸口金パック１を構成する各部材の相互関係について説明する。
先ず、本例の紡糸口金パックは、パック本体３が下部パック部材３１（口金ホルダーを形成する）、中間パック部材３２及び上部パック部材３３という三つのパック部材に分割されて構成されている。ここで、前記上部パック部材３３には、図示省略したスピンブロックから導入されるポリマーを受け入れる導入流路Ｆ１が穿設されており、この導入流路Ｆ１の下方には、図示したように、下流方向に漏斗状に広がった漏斗状の拡流流路Ｆ２が形成されている。したがって、口金パック１に流入したポリマーは、この漏斗状の拡流流路Ｆ２で必要な程度に拡流され広い濾過面積をとれる状態となる。
【００２１】
本発明では、パック本体３を前述のように、三つのパック部材３１〜３３に分割して構成することによって、締結部材８ａと８ｂを使用して下部パック部材３１（口金ホルダー）と上部パック部材３３とによって、中間パック部材３２に対して個別にシール材９ａと９ｂ及び平板状濾材７ａの外周リム部に設けられたシール部をそれぞれ分担して締め付けている。このようにしてシール効果を向上させることにより口金パック１内を流れるポリマーが口金パック１外に漏れ出るのを防止している。
【００２２】
ここで、外部へのポリマー漏れが防止された口金パック１の内部には、メタルサンド、ガラスビーズなどからなる濾砂５が濾砂収容部材４中に充填され、この濾砂５の最下端部には、ポリマー中に含まれる微小な異物を濾過するために濾過面積を広く取った平板状濾材７ｂが図示したように設けられている。また、該平板状濾材７ｂの直下部には、ポリマーの濾過時に発生する濾過圧力によって平板状濾材７ｂが変形したり、破損したりしないように下方から支持固定するブリッジプレート６が設けられている。
【００２３】
なお、このブリッジプレート６は、平板状濾材７ｂを通過する拡流されたポリマーを一箇所に集合させるために、パック中心部へとポリマーを縮流させながら集合させて合流流路Ｆ３へと導く役割をも果たしている。
【００２４】
このようにして、濾砂５、濾材７ｂなどの異なる位置（異なる経路）をそれぞれ通過することによって、異なる滞留時間で異なる温度に加熱されてきた各ポリマー流は、合流流路Ｆ３で合流させられて一箇所に集められることにより均一化される。
【００２５】
その際、前記合流流路Ｆ３に関しては、ポリマーの均一化を更に促進するために合流させたポリマーを静的に混合することが好ましい。そこで、この合流流路Ｆ３の流路長を長くして適当な数の混練素子数を有するケニックス型スタチックミキサなどの静的混練素子が設けることも慣用手段として行なわれる。
【００２６】
以上に述べたようにして合流流路Ｆ３へと導かれたポリマーは、合流流路Ｆ３を出て下流に行くに従って下方斜め方向に放射状に末広がりに形成された複数の円管状流路Ｆ４を通過する。なお、この円管状流路Ｆ４は、図１及び図２に示したように、パイプ形状を有しており、合流流路Ｆ３の終端の出口部から斜め下流方向へと放射状かつ末広がりに設けられた多数の流路群から形成されている。ただし、前記図２は円管状流路Ｆ４を下面（吐出孔Ｈ側）から見たときの平面図である。
【００２７】
以上に説明したように、本発明は、多数の円管状流路Ｆ４を形成することを一大特徴とする。なお、これらの各円管状流路Ｆ４の流路直径は、本明細書において“Ｘ”で表すものとし、この円管状流路Ｆ４の本数は、口金２の吐出孔群Ｈの同一円周上の孔数の４分の１以上、望ましくは３分の１以上であれば吐出孔群Ｈの形状と寸法を適正に設定すればほぼ均一にポリマーを吐出することが可能であることが分かっている。
【００２８】
このようにして、複数の円管状流路Ｆ４に分配されたポリマーは、口金２に穿設された吐出孔群Ｈが１周配列の場合、吐出孔群Ｈの始端開口部において円管状流路Ｆ４の終端開口部を円環状に連結するために形成された環状流路Ｆ５を介して前記吐出孔群Ｈから細繊度のマルチフィラメント糸として紡出される。その際、図３は円管状流路群Ｆ４と吐出孔群Ｈを繋ぐ環状流路Ｆ５の要部を拡大した部分断面図であるが、この図３に示すように、同部分での異常滞留の発生を防ぐため、環状流路Ｆ５の内外径部と吐出孔群Ｈの導入孔の最内外周部との距離が０．５ｍｍ以下とすることが望ましい。なお、このとき、前記環状流路Ｆ５の中心線によって形成される同心円Ｃ上に等配に吐出孔群Ｈが穿設されている。なお、図３の実施態様のように口金２に２周配列の吐出孔群Ｈが穿設されている場合には、前記同心円Ｃを中心として、この同心円Ｃを半径方向に均等に振り分けて配置された二重同心円の円周上に吐出孔群Ｈが等配して穿設される。
【００２９】
本発明においては、合流流路Ｆ３から出たポリマーを前述のように「放射状の複数の円管状流路Ｆ４」へと分割流にして供給することが肝要である。何故ならば、この場合において、口金パック１の中心部側を流れるポリマーと口金パックの外周側を流れるポリマーとの間で滞留時間差や加熱温度差が生じるとしても、「放射状の複数の円管状流路Ｆ４」へそれぞれ分割された分割流の流路直径（Ｘ）分だけとなるからである。このため、円管状流路Ｆ４の流路直径Ｘを適当な範囲に制御すれば、吐出孔群Ｈへのポリマーの分配を大きな滞留時間差や大きな加熱温度差を惹起させることなく良好に行うことができる。このような理由から、前記円管状流路Ｆ４の流路直径Ｘが重要であって、通常の紡糸条件において好ましくは、２．０ｍｍ以上、５．０ｍｍ以下である。
【図面の簡単な説明】
【００３０】
【図１】本発明に係る溶融紡糸口金パックを模式的に例示した正断面図である。
【図２】本発明に係る溶融紡糸口金パックの一部を模式的に例示した平面図である。
【図３】環状流路部を説明するための要部の拡大部分断面図である。
【図４】従来の溶融紡糸口金パックを模式的に例示した正断面図である。
【図５】従来の溶融紡糸口金パックを模式的に例示した正断面図である。
【符号の説明】
【００３１】
１：紡糸口金パック
２：口金
３：パック本体
３１：下部パック部材
３２：中間パック部材
３３：上部パック部材
４：濾砂収容部材
５：濾砂
６：ブリッジプレート
７ａと７ｂ：平板状濾材
８：パックの締結部材
９ａと９ｂ：シール材
Ｈ：ポリマーの吐出孔群
Ｃ：同心円
Ｆ１：導入流路
Ｆ２：漏斗状の拡流流路
Ｆ３：合流流路
Ｆ４：円管状流路
Ｆ５：環状流路
【図１】
2010111977.tif 000003
【図２】
2010111977.tif 000004
【図３】
2010111977.tif 000005
【図４】
2010111977.tif 000006
【図５】
2010111977.tif 000007